(57)【要約】【課題】極めて簡単かつ容易な構造で、操作性がよく、かつ耐久性も高い壁つなぎ取付具を提供する。【解決手段】  壁つなぎ金具５０のねじ部５１と螺着する内ねじ部１２を有する接続用長ナット１１と、一端に前記接続用長ナットの内ねじ部と螺合する取付ねじ部２２を有し、他側に所定長の締付ねじ部２３を有するねじ棒２０と、前記ねじ棒の前記接続用長ナット側に配置される取付側係止具３０と、前記ねじ棒の前記締付ねじ部に螺着する内ねじ部４１を有する締付側係止具４０を有する壁つなぎ取付具１０において、前記取付側係止具又は締付側係止具のいずれか一方には、前記ねじ棒と平行にガイドパイプ部３５が設けられているとともに、他方には前記ガイドパイプ部への差込棒状部４５が形成されている。【選択図】図１
0003114414.tif 000002
【実用新案登録請求の範囲】
【請求項１】
足場用建材（５３）に配設される壁つなぎ金具（５０）のねじ部（５１）と螺着する内ねじ部（１２）を有する接続用長ナット（１１）と、
一端に前記接続用長ナットの内ねじ部と螺合する取付ねじ部（２２）を有し、他側に所定長の締付ねじ部（２３）を有するねじ棒（２０）と、
前記ねじ棒の前記接続用長ナット側に配置される取付側係止具（３０）と、
前記ねじ棒の前記締付ねじ部に螺着する内ねじ部（４１）を有する締付側係止具（４０）を有する壁つなぎ取付具（１０）において、
前記取付側係止具又は締付側係止具のいずれか一方には、前記ねじ棒と平行にガイドパイプ部（３５）が設けられているとともに、他方には前記ガイドパイプ部への差込棒状部（４５）が形成されていることを特徴とする壁つなぎ取付具。
【請求項２】
前記ガイドパイプ部（３５）が前記取付側係止具（３０）に設けられ、前記差込棒状部（４５）が前記締付側係止具（４０）に形成されている請求項１に記載の壁つなぎ取付具。
【請求項３】
前記取付側係止具と前記締付側係止具は、建物の梁（５７）のフランジ部（５８）に係着する係止あご部（３３，４３）を有する請求項１又は２に記載の壁つなぎ取付具。
【考案の詳細な説明】
【技術分野】
【０００１】
本考案は、作業用足場と建物の躯体とを連結する壁つなぎ取付具の改良に関する。
【背景技術】
【０００２】
建物の建設、補修あるいは外壁の工事などを行う際に、作業員の作業及び通路の確保、落下防止シートの張設などのために、建物の外周に足場が設置される。この足場は、通常、足場が倒壊するのを防ぎ、その安定性を保つために、建物の躯体と連結される。建物躯体との連結手段としては、建物が鉄骨造である場合には、建物の鋼梁などに壁つなぎ取付具を用いて固定することが行われている（例えば、意匠登録第１０８２５２２号公報参照）。
【０００３】
図４に示す従来構造の壁つなぎ取付具６０は、足場用建材５３に配設される壁つなぎ金具５０のねじ部５１と螺着する内ねじ部６２を有する接続用長ナット６１と、一端に前記接続用長ナット６１の内ねじ部６２と螺合する取付ねじ部７２を有し、他側に所定長の締付ねじ部７３を有するねじ棒７０と、前記ねじ棒７０の前記接続用長ナット６１側に配置される取付側係止具８０と、前記ねじ棒７０の前記締付ねじ部７３に螺着する内ねじ部９１を有する締付側係止具９０を有する。図中符号８１はねじ棒７０を挿通する取付側係止具８０の筒部である。この壁つなぎ取付具６０は、接続用長ナット６１を回転させることによって、ねじ棒７０を回転させ、該ねじ棒７０に螺着された締付側係止具９０を取付側係止具８０に接近させて、建物の梁５７（のフランジ部５８）に対して取付側係止具８０と締付側係止具９０とを挟着して固定させるものである。
【０００４】
しかしながら、前記手段によると、取付側係止具８０はねじ棒７０に固着されておらず自由に回動可能であり、加えて、ねじ棒７０を回転して締付側係止具９０を接近させるときに該ねじ棒７０のねじ部７３に螺着している締付側係止具９０も一緒に回転してしまうため、取付側係止具８０と締付側係止具９０との向きを手で支えて調節しつつ操作しなければならず、非常に煩雑である。例えば、足場５５側から壁つなぎ取付具６０を固定させる場合には、足場側から伸ばした手で締付側係止具９０の向きを調整し、反対側の手で前記接続用長ナット６１を回転させて締付側係止具９０を取付側係止具８０に接近させて、その後締付側係止具９０と取付側係止具８０の向きを上向きに揃えて保持させた状態で、建物の梁５７（のフランジ部５８）に両側から係合させることは、極めて煩雑で困難な作業である。
【０００５】
そこで、係止具の向き固定手段が備えられた壁つなぎ取付金物が提案されている（例えば、特開２００３−３４３０８３号公報参照）。この壁つなぎ取付金物は、一方の係止具を上向きに保持することで、他方の係止具も上向きになるように固定されているため、建物側の係止具に手を伸ばして向きを固定させなくても、足場側の係止具を上向きに固定させて、建物の梁に容易に係合させることができる利点がある。
【０００６】
しかしながら、この提案された壁つなぎ取付金物は、向き固定手段として上部が開放された略Ｕ字形のガイドレール部を用いているため、強度や耐久性による問題が生ずるおそれがある。例えば、このＵ字形ガイドレール部は運搬時に他の部材と一緒に持ち運んだりすることなどにより、ガイドレール部が押されて変形しやすく、一度、変形が生じると、係止具がガイドレールの溝部を移動できなくなり、操作性が悪くなるばかりか、使用不能となることもある。また、実際の工事現場では、ガイドレール部の溝部に泥や砂が付着するため、ガイドレール部と係止具との摺動性が低下することも懸念される。さらに、略Ｕ字形のガイドレール部がかさばるので持ち運びに不便であることや、部品点数が多くなるため、重量やコストが増加する原因となる。
【考案の開示】
【考案が解決しようとする課題】
【０００７】
従って、本考案は、前記の問題点を鑑みてなされたものであり、極めて簡単かつ容易な構造で、操作性がよく、かつ耐久性も高い壁つなぎ取付具を提供するものである。
【課題を解決するための手段】
【０００８】
すなわち、請求項１の考案は、足場用建材（５３）に配設される壁つなぎ金具（５０）のねじ部（５１）と螺着する内ねじ部（１２）を有する接続用長ナット（１１）と、一端に前記接続用長ナットの内ねじ部と螺合する取付ねじ部（２２）を有し、他側に所定長の締付ねじ部（２３）を有するねじ棒（２０）と、前記ねじ棒の前記接続用長ナット側に配置される取付側係止具（３０）と、前記ねじ棒の前記締付ねじ部に螺着する内ねじ部（４１）を有する締付側係止具（４０）を有する壁つなぎ取付具（１０）において、前記取付側係止具又は締付側係止具のいずれか一方には、前記ねじ棒と平行にガイドパイプ部（３５）が設けられているとともに、他方には前記ガイドパイプ部への差込棒状部（４５）が形成されていることを特徴とする壁つなぎ取付具に係る。
【０００９】
請求項２の考案は、前記ガイドパイプ部（３５）が前記取付側係止具（３０）に設けられ、前記差込棒状部（４５）が前記締付側係止具（４０）に形成されている請求項１に記載の壁つなぎ取付具に係る。
【００１０】
また、請求項３の考案は、前記取付側係止具と前記締付側係止具は、建物の梁（５７）のフランジ部（５８）に係着する係止あご部（３３，４３）を有する請求項１又は２に記載の壁つなぎ取付具に係る。
【考案の効果】
【００１１】
請求項１の考案に係る壁つなぎ取付具は、前記取付側係止具又は締付側係止具のいずれか一方には、前記ねじ棒と平行にガイドパイプ部（３５）が設けられているとともに、他方には前記ガイドパイプ部への差込棒状部（４５）が形成されているものであるから、極めて簡単かつ容易な構造で、操作性がよく、かつ耐久性も高い。
【００１２】
請求項２に係る考案にあっては、請求項１に記載の壁つなぎ取付具において、前記ガイドパイプ部（３５）が前記取付側係止具（３０）に設けられ、前記差込棒状部（４５）が前記締付側係止具（４０）に形成されており、進退動する側に差込棒状部を有するので、スムーズで作動性がよい。
【００１３】
また、請求項３の考案にあっては、請求項１又は２に記載の壁つなぎ取付具において、前記取付側係止具と前記締付側係止具は、建物の梁（５７）のフランジ部（５８）に係着する係止あご部（３３，４３）を有するので、簡単かつ容易にしかも確実に建物の梁に固定させることができる。
【考案を実施するための最良の形態】
【００１４】
以下添付の図面に従って、この考案を詳細に説明する。図１はこの考案の一実施例を示す断面図、図２はその取付前の状態の断面図、図３は取付状態の断面図である。
【００１５】
請求項１の考案として規定し、図１に示すように、壁つなぎ取付具１０は、足場５５を構成する足場用建材５３に配設される壁つなぎ金具５０のねじ部５１と螺着する内ねじ部１２を有する接続用長ナット１１と、一端に前記接続用長ナット１１の内ねじ部１２と螺合する取付ねじ部２２を有し、他側に所定長の締付ねじ部２３を有するねじ棒２０と、前記ねじ棒２０の前記接続用長ナット１１側に配置される取付側係止具３０と、前記ねじ棒２０の前記締付ねじ部２３に螺着する内ねじ部４１を有する締付側係止具４０を有し、前記取付側係止具３０又は締付側係止具４０のいずれか一方には、前記ねじ棒２０と平行にガイドパイプ部３５が設けられているとともに、他方には前記ガイドパイプ部３５への差込棒状部４５が形成されていることを特徴とする。
【００１６】
壁つなぎ取付具１０は、足場５５と建物の躯体である梁５７を連結させるために用いられ、前記建物の梁５７のフランジ部５８に、壁つなぎ取付具１０の取付側係止具３０と締付側係止具４０とを係合させた後に、接続用長ナット１１の内ねじ部１２に壁つなぎ金具５０のねじ部５１を螺着させる。そして、壁つなぎ金具５０の他端を、足場用建材５３に連結することにより、足場５５を建物に確実に固定する。
【００１７】
接続用長ナット１１は、壁つなぎ金具５０のねじ部５１と螺着できるものであれば、特に限定されず、公知の長ナットを使用することができる。前記接続用長ナット１１の内ねじ部１２は次述するようにねじ棒２０の取付ねじ部２２と螺合する。
【００１８】
ねじ棒２０は、一端に前記接続用長ナット１１の内ねじ部１２と螺合する取付ねじ部２２を有し、他側に所定長の締付ねじ部２３を有する。図の符号２１は棒状本体を表し、２４は抜け止めのストッパ突部である。締付ねじ部２３のねじ長さは、当該ねじ部２３に螺着した締付側係止具４０が移動して取付側係止具３０との間で建物の梁５７のフランジ部５８に係合できる十分な長さが必要である。
【００１９】
取付側係止具３０は、前記ねじ棒２０の前記接続用長ナット１１側に配置される。取付側係止具３０は、ねじ棒２０が挿通する筒部３１と係止部（係止あご部）３３とを有する。なお、筒部３１はその後端は前記接続用長ナット１１によって、ねじ棒２０の端部方向の移動を規制されることはいうまでもない。
【００２０】
締付側係止具４０は、前記ねじ棒２０の締付ねじ部２３に螺着する内ねじ部４１を有し、前記取付側係止具３０に対して接近離間する。そして、締付側係止具４０は、その係止部（係止あご部）４３によって、前記取付側係止具３０の係止部（係止あご部）３３との間で、建物の梁５７のフランジ部５８に挟着される。
【００２１】
この考案は、前記取付側係止具３０又は締付側係止具４０のいずれか一方に、前記ねじ棒２０と平行にガイドパイプ部３５が設けられているとともに、他方には前記ガイドパイプ部３５への差込棒状部４５が形成されていることを特徴とするものである。この実施例では、請求項２の考案として規定したように、取付側係止具３０にガイドパイプ部３５が前記設けられ、締付側係止具４０に差込棒状部４５が形成されている。作用効果的には、いずれであっても大差がないが、進退動する側に差込棒状部を有する場合には、スムーズで作動性がよい。
【００２２】
ガイドパイプ部３５は、取付側係止具３０の筒部３１の下部に公知の円筒パイプを溶接などにより固着して形成している。また、このガイドパイプ部３５に対応して、他方の締付側係止具４０には、取付ブラケット部４７を介して前記ガイドパイプ部３５への差込棒状部４５が形成される。差込棒状部４５はガイドパイプ部３５への挿入差込が可能であれば、中空パイプ又は中実棒体などどのようなものでもよい。
【００２３】
前記取付側係止具３０と締付側係止具４０は、建物の梁５７のフランジ部５８に、次のように係合される。まず、接続用長ナット１１を回転させることにより、接続用長ナット１１の内ねじ部１２と螺合されたねじ棒２０を回転させ、該ねじ棒２０に螺着された締付側係止具４０を取付側係止具３０側（図２の矢印ａ方向）へ移動する。そして、筒部３１によりねじ棒２０に保持された取付側係止具３０との間で、建物の梁５７のフランジ部５８に両側から挟着して当該締付側係止具４０が係合される（図３参照）。
【００２４】
このとき、前記取付側係止具３０（又は前記締付側係止具４０）には、前記ねじ棒２０と平行にガイドパイプ部３５が設けられているとともに、前記締付側係止具４０（又は前記取付側係止具３０）には前記ガイドパイプ部３５への差込棒状部４５が形成されている。このため、前記取付側係止具３０と前記締付側係止具４０の向きは固定され、前記取付側係止具３０が自由に回動、もしくは前記締付側係止具４０が回転することがなくなるので、前記取付側係止具３０と前記締付側係止具４０の向きを手で固定する必要がなくなる。
【００２５】
前記ガイドパイプ部３５と差込棒状部４５の構成は極めて簡単であり、例えばガイドパイプ部３５として公知の円筒パイプを係止具に溶接などにより固着し、差込棒状部４５としては、前記円筒パイプに差込可能な公知の丸棒を係止具に同じく溶接などに固着させて用いることができるので部品点数が少なく、重量が比較的軽量で持ち運びにもかさばらず、経済的にも有利である。なお、ガイドパイプ部と差込棒状部の形状、大きさ、材質などは、特に限定されないので、用途に応じて選択することができる。
【００２６】
前記ガイドパイプ部３５と前記差込棒状部４５には、前記ガイドパイプ部３５に前記差込棒状部４５が挿入できればよいので、高度な寸法精度が要求されることはない。従って、ガイドパイプ部３５の内径と差込棒状部４５の外径の寸法には、遊びがあっても構わない。このような場合において、工事現場で砂や泥などが差込棒状部４５などに付着しても、全く問題なく使用することができる。また、例えば、ガイドパイプ部３５として円筒パイプ、前記差込棒状部４５として丸棒などを使用できるので、ある程度の強度が確保でき、運搬時に他の部材などに押し曲げられるおそれがなく、まれに押圧されたような場合であっても、多少の変形であれば、使用には差し支えがないので、取り扱いが大変容易である。
【図面の簡単な説明】
【００２７】
【図１】この考案の一実施例を示す断面図である。
【図２】その取付前の状態の断面図である。
【図３】取付状態の断面図である。
【図４】従来の壁つなぎ取付具に係る断面図である。
【符号の説明】
【００２８】
１０  壁つなぎ取付具
１１  接続用長ナット
１２  ねじ部
２０  ねじ棒
２２  取付ねじ部
２３  締付ねじ部
３０  取付側係止具
３１  筒部
３３  係止あご部
３５  ガイドパイプ部
４０  締付側係止具
４１  内ねじ部
４３  係止あご部
４５  差込み棒状部
５０  壁つなぎ金具
５１  ねじ部
５３  足場用建材
５５  足場
５７  梁
５８  フランジ
【図１】
0003114414.tif 000003
【図２】
0003114414.tif 000004
【図３】
0003114414.tif 000005
【図４】
0003114414.tif 000006